【事件の表示】
　特許第２８７１００８号「修正液」の請求項１に係る特許に対する特許異議の申立てについて、次のとおり決定する。
【結　論】
　訂正を認める。
　特許第２８７１００８号の請求項１に係る特許を維持する。
【理　由】
I　手続きの経緯
　本件特許第２８７１００８号発明は、平成２年６月３０日に特許出願され、平成１１年１月８日に設定登録がなされ、その後、三菱鉛筆株式会社より特許異議の申立てがなされると共に、平成１１年９月２７日に上申書が提出され、取消理由通知がなされその意見書の提出期間内である平成１２年７月１８日に訂正請求がなされたものである。
　　　
II　訂正の適否についての判断
１　訂正明細書の請求項１に係る発明
　訂正明細書の請求項１に係る発明は、その特許請求の範囲の請求項１に記載された次のとおりのものである 。
「【請求項１】隠蔽材と溶剤と結合材とホウ珪酸ガラス、シリカ又は不溶性ガラスからなる中空粒子とより少なくともなる修正液。」
２　訂正の目的の適否、新規事項の有無及び拡張・変更の存否
　本件訂正請求は、本件特許第２８７１００８号発明の明細書を訂正明細書のとおりに訂正することを求めるものであり、訂正の内容は次のとおりである。
（ａ）特許請求の範囲中、請求項１記載の「中空粒子」を「ホウ珪酸ガラス、シリカ又は不溶性ガラスからなる中空粒子」と訂正する。
（ｂ）明細書３頁１５行、５頁１５行、８頁６行、９頁２行、９頁３行、９頁４行の「中空粒子」を「ホウ珪酸ガラス、シリカ又は不溶性ガラスからなる中空粒子」と訂正する。
（ｃ）明細書６頁１５行〜７頁４行の「、中空ポリマーから・・・大日本インキ（株）製）」を削除する。
（ｄ）明細書７頁１２〜１６行「中空ポリマー・・・である」を削除する。
（ｅ）明細書９頁３行「可視光性」を「可視光線」と訂正する。
（ｆ）明細書１０頁１１〜２１行「実施例３・・・修正液を得た。」を削除する。
（ｇ）明細書１１頁１１行の「実施例１〜３」を「実施例１〜２」と訂正する。
（ｈ）明細書１１頁、表１の「実施例３」及びそれの隠蔽率である「９６．０」を削除する。
　そこで、これらの訂正事項について検討する。（ａ）の訂正は、「中空粒子」の材質を限定するものであるので特許請求の範囲の減縮を目的とするものと認められる。（ｂ）〜（ｄ）、（ｆ）〜（ｈ）の訂正は、特許請求の範囲の減縮に係る（ａ）の訂正によって、記載が一致せず不明りょうとなった明細書の発明の詳細な説明中の記載を訂正するものであるが、明りょうでない記載の釈明を目的とするものと認められる。（ｅ）の訂正は、明らかな誤記の訂正である。
　そして、上記訂正に係る（ａ）の点は、願書に添付した明細書５頁１９〜２０行の「具体例としては、ホウ珪酸ガラスからなる」、６頁３行の「シリカよりなる」、６頁４〜５行の「不溶性ガラスよりなる」の記載に基づくものであり、願書に添付した明細書に記載の事項の範囲内のものであることは明らかである。（ｅ）の訂正は願書に最初に添付した明細書に記載の事項の範囲内のものである。また、上記各訂正は実質上特許請求の範囲を拡張し又は変更するものでない。
　　　
３　独立特許要件の判断
　そこで、訂正後の特許請求の範囲に記載された事項により特定された発明が特許出願の際独立して特許を受けることができるか否かについて以下検討する。
（１）引用刊行物等の記載事項
　訂正前の本件特許明細書の請求項１に係る発明に対して、当審が通知した取消理由で引用した刊行物１（特開平１−１７０６７１号公報　）（申立人提出の甲第１号証）には、「酸化チタン、溶剤及び溶剤可溶性樹脂を含む修正液において、メラミン・ホルムアルデヒド縮合物・・・の微小球の少なくとも一種を含有する修正液。」（特許請求の範囲１）が記載され、「微小球を配合する場合には、修正液の分散安定性が向上するのみならず、沈降状態からの再分散性も著しく改善されることを見出した。」（１頁右下欄）、「微小球の使用量は、修正液中の酸化チタン重量に対し、１．５〜５０％程度であり、・・・好ましい。」（２頁右下欄）と記載され、３頁右上欄〜左下欄には、「実施例」で用いた微小球は日本触媒化学社製の「エポスターＳ」、「エポカラーＦＰ−５０１」、「エポスターＭＳ」、「エポスターＭ３０」であることが記載されている。
　同刊行物２（特開昭６３−１４２０７５号公報）（同甲第２号証）には、「白色顔料３０〜６０重量％、パラフィン系または（および）ナフテン系溶剤２５〜６０重量％、該溶剤に可溶である結合剤３〜２０重量％、非イオン系界面活性剤・・・から選ばれる少なくとも一種の非揮発性有機物質０．５〜１０重量％を含有してなる修正液。」（特許請求の範囲１）が記載され、「この発明は、紙面に表記された文字、線、模様等を塗布により隠蔽消去して修正する・・・修正液、特に感熱記録紙に対する修正も可能な万能タイプの修正液に関する。」（１頁右下欄）、「この発明で使用する白色顔料としては、・・・必要に応じて酸化チタンと共に副成分として他の白色顔料を併用してもよい。」（３頁右下欄）と記載されている。
　同刊行物３（特開昭６２−１２７３３６号公報）（同甲第４号証）には、内孔を有するポリマー粒子とその製造方法に関する発明が記載され、「内孔を有するポリマー粒子は、・・・外径が０．０５〜１０μｍ、内径が外径の０．２〜０．９倍である」こと（特許請求の範囲１）、「粒子内部に孔を有するポリマー粒子は、・・・、あるいはその内孔を中空にすることでたとえば光散乱材として利用される中空ポリマー粒子などの有機素材として広く利用されている。」こと（２頁左下欄）、「上記中空ポリマー粒子は、光沢、隠ぺい力等に優れたプラスチックピグメントとして有用である」こと（８頁右上欄）、「上記中空ポリマー粒子は、・・・種々の用途、例えば、・・・修正インキあるいは修正リボン用の高隠ぺい性顔料等として用いることができる」こと（１５頁右上欄）が記載されている。
　同刊行物４（特開平２−１４０２７１号公報）（同甲第５号証）には、中空ポリマー顔料とこれを用いた塗料組成物に関する発明が記載され、中空ポリマー顔料が少なくとも二層の重合体層を有する平均粒子径が０．１５〜２０μｍの中空重合体粒子からなるものであること（特許請求の範囲１）、本発明の水性塗料組成物には、隠ぺい性を高めるために隠ぺい剤として内孔を有する中空ポリマー顔料と酸化チタンを併用するのが好ましいこと（１７頁右下欄）が記載されている。
　同刊行物５（「最新顔料応用技術」１９８６年１１月４日　（株）シーエムシー発行　１３５〜１３９頁）（異議申立人が上申書と共に提出した参考資料１）には、「２．６中空樹脂顔料」の項に「中空樹脂顔料は・・・可視光線の反射を図２．２．２９のように助長し、隠ぺい性を付与することができる。したがって、ポリマー型の顔料となり、例えば水系塗料中の酸化チタンの一部代替として、無機質の顔料とは異なる展開が期待されている。」（１３５頁）と記載され、「２．６．３応用例」の塗料の項では「酸化チタンと中空樹脂顔料を併用すると、図２．２．３０に示すようなスペーサー効果により酸化チタンの一次粒子の共凝集を抑制し、光散乱効果、・・・により、酸化チタン配合量を減らしてその減量分と同体積程度の中空樹脂粒子ピグメントで置換することにより、置換前の酸化チタン単独の塗料とほぼ同等の隠ぺい性が得られ、一方塗膜の光沢はむしろ向上し・・・も良好であるという特徴が得られている。・・・塗料の原料費のコストダウン効果がもたらされる。」（１３６〜１３７頁）、「紙の顔料コーティング等の分野で、紙の白色度、不透明性・・・がもたらされ」（１３８頁）と記載されている。
　同刊行物６（表面　、第２６巻　第６号、　昭和６３年６月１日　（株）広信社発行３９２〜４０３頁）（同じく参考資料２）には、「酸化チタンと中空樹脂顔料を併用するとスペーサー効果（後述）により酸化チタンの一次粒子の共凝集を抑制し、・・・。したがって白色顔料の代表格である酸化チタンの一部代替としての用途展開が可能になる。」（３９７頁）と記載されている。
　同刊行物７（Tappi　Journal  Vol．６８　No.５、　１９８５年５月発行　ｐ．１０２〜１０５）（同じく参考資料３）（参考資料３訳文）には、「中空球ポリマー顔料の比重量は、・・・この低い密度は中空球顔料にかなり軽量の被覆物を作る潜在能力を与える。・・・中空球はスペーサーとして十分に働いてＴｉＯ２を離れ離れに保ち、このＴｉＯ２をさらに効果的に不透明にさせることができる。」（１０２頁２欄２〜１３行）と記載されている。表４には、ＴｉＯ２と中空球を併用するとＴｉＯ２単独よりも不透明度が高まることも示されている（１０４頁）。
　異議申立人が提出した甲第３号証の刊行物（特開平１−１１５９７０号公報）（以下「刊行物８」と言う）には、「隠蔽剤として樹脂粉体に二酸化チタンを少なくとも９０重量％以上含む顔料を吸着させた着色加工粉体及び／又は多孔質樹脂粉体の孔中に上記顔料を充填した着色加工粉体と・・・有機溶剤と、該有機溶剤に可溶な樹脂とから少なくともなる・・・修正液。」（特許請求の範囲）が記載され、「上記隠蔽剤である二酸化チタンは、他の必須成分である有機溶剤及び樹脂に比較し比重が大きく長期間の保存によって沈降現象を発生したり・・・と言う問題点を有していた。」（１頁右下欄）と記載されている。
（２）先願明細書の記載事項
　当審が通知した取消理由で引用した本件出願の出願日前の出願であって、その出願後に出願公開された特願平１−２９８７５号（特開平２−２０９９７３号公報参照。異議申立人提出の甲第６号証）の願書に最初に添付した明細書（以下、「先願明細書」という。）には、「（Ａ）有機溶剤、（Ｂ）酸化チタン系白色顔料、（Ｃ）アクリル酸エステル系樹脂及び（Ｄ）着色用油溶性染料を含有して成る着色修正用インキ組成物。」（特許請求の範囲）が記載されると共に、「経時安定性がよく、長時間にわたって顔料の沈降や増粘や浮きを生じることがない上に速乾性を有し・・・修正用インキ組成物に関するものである。」（１頁左下欄）、「本発明においては、前記酸化チタン系白色顔料に、所望に応じ他の顔料、例えば微細シリカ粉、・・・プラスチックピグメント（中空樹脂）などを適宜組み合わせて用いることができる」（２頁左下欄〜右下欄）と記載されている。
　　　
（３）刊行物１〜７（取消理由に引用）及び刊行物８との対比、判断
　刊行物１には、特定のポリマーからなる「微小球」を含有させた修正液が記載されているが、本件請求項１に係る発明の構成である「ホウ珪酸ガラス、シリカ又は不溶性ガラス」（以下「ホウ珪酸ガラス等無機物」と言う。）からなる中空粒子を添加することは記載されていない。該刊行物には、ガラスのような無機質からなる微小球の使用について何等言及されていないので、「ホウ珪酸ガラス等無機物」の添加が容易になし得たとすることはできない。
　刊行物２には、修正液において酸化チタン（白色顔料）と共に他の白色顔料が併用可能であると記載されているが、「ホウ珪酸ガラス等無機物」の中空粒子を添加することは記載されておらず、「ホウ珪酸ガラス等無機物」の中空粒子が酸化チタンとの併用に適することを示唆する記載もない。
　刊行物３には、孔を有するポリマー粒子はその内孔を中空にすることで光散乱材として用いられることが記載されているが、ポリマー粒子について記載されるのみであり無機質からなる中空粒子の使用については何等記載がなく示唆もない。
　刊行物４には、中空ポリマー顔料が紙用塗料又は一般用塗料に好適な顔料であること（２頁）、塗料では中空ポリマー顔料と酸化チタンの併用が好ましいこと（１７頁）が、又刊行物５，６には中空樹脂顔料が酸化チタンの代替品となること等が記載されているが、「ホウ珪酸ガラス等無機物」の中空粒子の使用については記載がなく示唆もない。
　刊行物７には、中空ポリマー顔料と酸化チタンの併用等について記載され、刊行物８では、修正液が樹脂粉体、多孔質樹脂粉体を含有することが記載されているが、中空ポリマー、多孔質樹脂粉体又は樹脂粉体の使用を示すのみであり、「ホウ珪酸ガラス等無機物」の中空粒子の使用については何等記載がない。
　更に、上記したように修正液に「ホウ珪酸ガラス等無機物」の中空粒子を含有させる点は刊行物１〜８のいずれにも記載がないのであるから、これらに記載の発明を組み合わせることによって本件請求項１に係る発明が容易になし得たものであるとすることもできない。
　そして、請求項１に係る発明はその構成により、隠蔽力が高く良好である修正液が得られるという効果を奏するものである。
　したがって、請求項１に係る発明は、刊行物１〜７に記載された発明から当業者が容易に発明をすることができたものであるとは認められない。
　　　
（４）先願明細書との対比、判断
　先願明細書には、有機溶剤、酸化チタン系白色顔料（隠蔽材）、アクリル酸エステル系樹脂（結合剤）及び着色用油溶性染料を含有するインキが記載され、これには「中空樹脂」を加えることができるとあるので、該先願明細書には、有機溶剤、隠蔽材、結合材、染料及び中空樹脂（顔料）を含有する着色修正用インキ組成物が開示されていると認められる。
　本件請求項１に係る発明と先願明細書に記載のものとを対比すると、両者は含有成分において共通するところがあるが、前者が中空樹脂（顔料）を含むのに対し後者は「ホウ珪酸ガラス、シリカ又は不溶性ガラスからなる中空粒子」を含有する点で相違する。したがって、請求項１の発明と「先願明細書１」記載の発明は成分組成が異なり、両者が同一であるとすることはできない。
　　　
　以上のとおりであるので、本件の請求項１に係る発明は特許出願の際独立して特許を受けることができない発明とすることはできない。
　　　
４　訂正の適否についての結論
　上記訂正請求は、特許法第１２０条の４第２項及び同条第３項で準用する第１２６条第２〜４項の規定に適合するので、請求のとおり当該訂正を認める。
　　
III　特許異議申立についての判断
１　異議申立理由の概要
  異議申立人・三菱鉛筆株式会社は、甲第１、２号証（それぞれ刊行物１、２）、甲第３号証（刊行物８）、甲第４、５号証（それぞれ刊行物３、４）を提出し、訂正前の請求項１に係る発明は甲第１〜５号証に記載された発明に基づいて当業者が容易に発明をすることができたものであるから、特許法第２９条第２項の規定により特許を受けることができず、本件特許は取り消されるべきものである旨主張している。
　また、同異議申立人は、甲第６号証（特開平２−２０９９７３号公報参照）を提出し、訂正前の請求項１に係る発明は、本件出願前に出願され本件出願後に出願公開された甲第６号証に係る出願の願書に添付された明細書に記載された発明であるので、特許法第２９条の２の規定により特許を受けることができず、本件特許は取り消されるべきものである旨主張している。　
　２　異議申立についての判断
（ａ）第２９条第２項違反について
　上記３（３）に示したのと同じ理由により、訂正後の本件請求項１に係る発明は甲第１〜５号証に記載された発明から当業者が容易に発明をすることができたものであるとは認められない。
（ｂ）第２９条の２違反について
　上記３（４）に示したのと同じ理由により、訂正後の本件請求項１に係る発明は先願明細書（甲第６号証参照）に記載された発明と同一であるとは認められない。
　　　
IV　むすび
　以上のとおり、本件の請求項１の発明に係る特許は異議申立ての理由及び証拠、取消理由通知の理由によっては取り消すことはできない。
　また、他に本件請求項１に係る特許を取り消すべき理由を発見しない。
　よって、結論のとおり決定する。
【異議決定日】
平成１２年１０月３０日（２０００．１０．３０）
【訂正の要旨】
訂正の要旨
平成１１年異議第７３５１１号」
（ａ）特許請求の範囲中、請求項１記載の「中空粒子」を「ホウ珪酸ガラス、シリカ又は不溶性ガラスからなる中空粒子」と訂正する。
（ｂ）明細書３頁１５行、５頁１５行、８頁６行、９頁２行、９頁３行、９頁４行の「中空粒子」を「ホウ珪酸ガラス、シリカ又は不溶性ガラスからなる中空粒子」と訂正する。
（ｃ）明細書６頁１５行〜７頁４行の「、中空ポリマーから・・・大日本インキ（株）製）」を削除する。
（ｄ）明細書７頁１２〜１６行「中空ポリマー・・・である」を削除する。
（ｅ）明細書９頁３行「可視光性」を「可視光線」と訂正する。
（ｆ）明細書１０頁１１〜２１行「実施例３・・・修正液を得た。」を削除する。
（ｇ）明細書１１頁１１行の「実施例１〜３」を「実施例１〜２」と訂正する。
（ｈ）明細書１１頁、表１の「実施例３」及びそれの隠蔽率である「９６．０」を削除する。
（５４）【発明の名称】
修正液
（５７）【特許請求の範囲】
　　【請求項１】　隠蔽材と溶剤と結合材と
ホウ珪酸ガラス、シリカ又は不溶性ガラスからなる
【発明の詳細な説明】
（産業上の利用分野）
　本発明は、隠蔽材と溶剤と結合材とを主成分とする修正液に関する。
（従来の技術）
　修正液は、隠蔽材と、水又は有機溶剤と、使用する水又は有機溶剤に溶解する樹脂などの結合材とを主成分としている。
　隠蔽材としては、酸化チタンのような高い隠蔽性を示す顔料を用いる。
　溶剤は、万年筆、水性サインペン等の水性インキの筆跡に対してはトルエン、キシレン、１，１，１−トリクロロエタン、トリクロロエチレン等を主溶剤として用い、油性ボールペン、油性マーカー等の油性インキによる筆跡や、タイプライターによる印字、乾式複写機による複写像などに対しては水を主溶剤として用いていた。更に近年、筆跡の種類によって溶剤を使いわけるといった煩雑さを解消するためシクロヘキサン、メチルシクロヘキサン、エチルシクロヘキサン等のシクロヘキサン系の溶剤を用いている。
　結合材は、トルエン、キシレン、１，１，１−トリクロロエタン、トリクロロエチレンやシクロヘキサン系の溶剤等を用いた場合、アクリル樹脂、ビニルアルキルエーテル樹脂、環化ゴム、スチレン−ブタジエン共重合体系エラストマー等が用いられ、水を主溶剤として用いた場合、（メタ）アクリル酸エステル系樹脂エマルジョン、スチレン−ブタジエン共重合体系樹脂エマルジョン、エチレン酢酸ビニル樹脂エマルジョンが用いられている。
　修正液の塗膜の隠蔽性を向上するには、酸化チタン等の隠蔽材が良好に分散していることが必要であるが、液中に分散された隠蔽材は共凝集を発生し易く、そのため隠蔽性が低下することがあった。そこで、隠蔽材の共凝集を防止し本来の隠蔽材の隠蔽力を得るために、メラミン−ホルムアルデヒド微小球などといった球状粒子を添加する（特開平１−１７０６７１）ことが知られている。
（発明が解決しようとする課題）
　修正液は文字、図柄などの隠蔽・修正を行なうだけでなく、塗膜上に再筆記を行なう場合が多いので、塗膜の乾燥が速いことが必要である。塗膜の乾燥性は使用する溶剤の種類などの材質の外、膜厚にも影響される。従って、薄い塗膜でも高い隠蔽力を持つことが必要となるわけであるが、上記の球状粒子を用い酸化チタンの共凝集を防止しただけでは満足する隠蔽力は得られない。
　本発明は、隠蔽力の高い修正液を得ることを目的とする。
（課題を解決するための手段）
　本発明は、隠蔽材と溶剤と結合材と
ホウ珪酸ガラス、シリカ又は不溶性ガラスからなる
　以下、詳細に説明する。
　隠蔽材は、酸化チタンや酸化亜鉛などの隠蔽性の高い顔料を用いるが、特に、酸化チタンが良好である。酸化チタンとしては、ルチル型、アナターゼ型などの各種の酸化チタンが使用できる。市販のものとしては、タイトーンＳＲ−１、同Ｒ−６５０、同Ｒ−３Ｌ、同Ａ−１１０、同Ａ−１５０，同Ｒ−５Ｎ（以上、堺化学工業（株）製）、タイペークＲ−５８０、同Ｒ−５５０、同Ｒ−９３０、同Ａ−１００、同Ａ−２２０、同ＣＲ−５８（以上、石原産業（株）製）、クロノスＫＲ−３１０、同ＫＲ−３８０、同ＫＲ−４８０、同ＫＡ−１０、同ＫＡ−２０、同ＫＡ−３０（以上、チタン工業（株）製）、タイピュアＲ−９００、同Ｒ−９３１（以上、デュポン・ジャパン・リミテッド社（株）製）などが挙げられる。その使用量は修正液全量に対して２０〜５０重量％が好ましい。
　溶剤は、結合材の溶剤、粘度調整などに使用するもので、具体的には、トルエン、キシレン、ｎ−ヘプタン、ｎ−オクタン、シクロヘキサン、メチルシクロヘキサン、シクロペンタン、メチルシクロペンタン等の炭化水素系、１，１，１−トリクロルエタン、テトラクロルエチレン等のハロゲン炭化水素系、１，４−ジオキサン、ｎ−ブチルエーテル、トリオキサン等のエーテル系、エチルメチルケトン、メチル−ｎ−プロピルケトン等のケトン系、ギ酸プロピル、酢酸エチル等のエステル系溶剤等が単独もしくは混合して使用可能であり、塗膜の乾燥時間を考慮すれば沸点４０℃〜１５０℃のものが好ましく、その使用量は修正液全量に対して３０〜６０重量％が好ましい。尚、ｎ−ヘプタン、ｎ−オクタン等のパラフィン系炭化水素や、シクロヘキサン、メチルシクロヘキサン、シクロペンタン、メチルシクロペンタン等のナフテン系炭化水素を使用すれば、筆跡が水性であっても、油性であっても使用できる。
　結合材は、塗膜を形成するために使用するもので、具体的には、アクリル樹脂、アルキッド樹脂、ビニル樹脂、ポリエステル樹脂、ビニルアルキルエーテル樹脂、環化ゴム、スチレン−ブタジエン系エラストマーなどがあり、その使用量は修正液全量に対して５〜２０重量％が好ましい。
　
ホウ珪酸ガラス、シリカ又は不溶性ガラスからなる
など
である。
　尚、
　本発明の修正液は、上記各成分をボールミル、アトライター、サンドグラインダー等の撹拌分散機を使用して分散混合することによって得られる。
（作用）
　本発明に係る修正液に含まれる
ホウ珪酸ガラス、シリカ又は不溶性ガラスからなる
　尚、塗膜の隠蔽力（ＨＰ）は下式（Ｉ）より求められ、下式（Ｉ）中の反射率（Ｆ）はＦｒｅｓｎｅｌ式（ＩＩ）より求められる。従って、結合材の平均屈折率が低いほど隠蔽力は高くなる。
Ｆ：反射率、ＰＶＣ：顔料容積濃度、
ｎ１：隠蔽材の平均屈折率、
ｎ２：結合材の平均屈折率
　更に、中空径が可視光線の半波以上の
ホウ珪酸ガラス、シリカ又は不溶性ガラスからなる
ホウ珪酸ガラス、シリカ又は不溶性ガラスからなる
可視光線
ホウ珪酸ガラス、シリカ又は不溶性ガラスからなる
（実施例）
　以下、単に「部」とあるのは「重量部」を示す。
実施例１
　クロノスＫＲ−３８０　　　　　　　　　　　　　　　　　　６５部
　アクリロイドＢ−６６　　　　　　　　　　　　　　　　　　１２部
　　（米国ローム＆ハース社（株）製、アクリル樹脂）
　１，１，１−トリクロロエタン　　　　　　　　　　　　　１２０部
　ミズカシルＰ−８０１　　　　　　　　　　　　　　　　　　　２部
　　（水沢化学工業（株）製、微細シリカ）
　ガラスマイクロバルーンＩＧ１０１　　　　　　　　　　　　１８部
　ホモゲノールＬ−１８　　　　　　　　　　　　　　　　　１．２部
　　（花王（株）製、分散剤）
　上記各成分をボールミルにて２４時間分散処理して修正液を得た。
　実施例２
　クロノスＫＲ−３８０　　　　　　　　　　　　　　　　　　６０部
　アクリロイドＢ−６７　　　　　　　　　　　　　　　　　　１３部
　　（米国ローム＆ハース社製、アクリル樹脂）
　メチルクロヘキサン　　　　　　　　　　　　　　　　　　　８０部
　ゴッドボールＢ−６Ｃ　　　　　　　　　　　　　　　　　　１５部
　ミズカシルＰ−８０　　　　　　　　　　　　　　　　　　　　２部
　ＭＡ−１００　　　　　　　　　　　　　　　　　　　　０．０５部
　　（三菱化成工業（株）製、カーボンブラック）
　ホモゲノールＬ−１８　　　　　　　　　　　　　　　　　　　１部
　上記各成分を実施例１と同様になして修正液を得た。
　比較例１
　実施例１におけるガラスマイクロバルーンＩＧ１０１を除いた他は実施例１と同様になして修正液を得た。
　比較例２
　実施例１におけるガラスマイクロバルーンＩＧ１０１を除き、エポスターＳ（日本触媒化学工業（株）製、メラミン−ホルムアルデヒド微小球）を１８部加えた他は実施例１と同様になして修正液を得た。
（発明の効果）
　実施例１〜
２
　　結果を表１に示す。
　表１
・隠蔽率試験：修正液を、隠蔽率測定用紙（ＪＩＳＫ５４００）に２ミルのアプリケーターで塗布し、乾燥した後、４５°、０°拡散反射率を算出した。
　以上、詳細に説明したように、本発明に係る修正液は、隠蔽力が高く良好なものである。